(57)【要約】【課題】  簡単な原理で、かつ少ない部品点数で深爪せずに人間あるいはペットの爪をきれいに切削する、または爪を研磨する電動式爪切り器の提供である。【解決手段】  モータの回転を伝達するためのプーリまたはギアを用い、モータ回転によって爪を切削するための螺旋形状の回転刃を回転することにより深爪しないで安全に爪をきれいに切削する電動式爪切り器である。切削された爪の破片により回転刃の損傷を防止するため、爪の破片を収納する抜き差し可能なカートリッジまたは蓋付の固定カートリッジを具備するとともに、爪の切削と爪の研磨の両方に対応した電動式爪切り器である。【選択図】図１
2008012254.tif 000002
【特許請求の範囲】
【請求項１】
モータをバッテリーなどを用いて回転する手段と、モータ回転軸の回転トルクをギアまたはプーリなどを用いて伝達する手段と、伝達されたモータ回転トルクにより爪を切削する、および爪を研磨するための回転刃を回転させる手段を有する電動式爪切り器。
【請求項２】
爪を切削する、および爪を研磨するための回転刃の上部にアダプターと称する深爪を防止するための段差のついたカバーを具備する手段と、回転刃により切削された、または研磨された爪の破片が飛散しないように回転刃の下に抜き差し可能なカートリッジ式の箱、又は蓋を装備した固定箱を具備する手段と、爪の切削と研磨の両方が使用できるようにモータ回転方向を切り替えるＳＷを具備する手段を有する電動式爪切り器。
【発明の詳細な説明】
【技術分野】
【０００１】  本発明は、人間の爪およびペットなどの動物の爪を深爪しないで、きれいに爪を切削する、あるいは爪を研磨する機器またはユニットに関する。
【背景技術】
【０００２】  近年、てこの原理を用いた爪切り器が使われているが、構造的に深爪して怪我をすることが多く、特に児童、老人あるいはペットなどの動物の爪を切るには相応の注意を必要とする。
【発明の開示】
【発明が解決しようとする課題】
【０００３】  現在市販されている刃を用いた、てこ式の爪切り器では爪を切る場合の深さ加減を手の感覚で行っていることから多少の力加減で深爪してしまうことが多いため、深爪せずに安全に爪を切ることのできる電動式爪切り器の提供である。
【課題を解決するための手段】
【０００４】  前記課題を解決するために、モータ回転軸の回転トルクを回転刃軸に伝達するためのギアまたはプーリを用いてモータ軸と回転刃軸とを連結する構造とする。またモータは切削用および研磨用として使用できるようにモータの回転方向を切り替えるための切り替えＳＷを具備するものとする。爪を切削するための回転刃はドリルの刃のような螺旋形状で刃が爪の先端にあたり回転することにより爪を切削することができ、刃以外の表面部分をヤスリ表面と同様な加工処理によって爪の研磨ができるものである。回転刃がむきだしでは危険であるので幅約２０ｍｍ程度、段差約２ｍｍ程度、段差部分に回転刃と平行に約３ｍｍ程度のスリットを設けたアダプターカバーを回転刃の上部に装着することにより爪を切削する深さに制限を設けて深爪しない構造とし、また回転刃により切削された爪の破片をそのままにしておくと回転刃内に切削された爪の破片が残ることから回転刃自体の損傷および磨耗を防止するために回転刃の下部分に切削された爪の破片を保存するための抜き差し可能な箱型のカートリッジ、又は蓋付の固定カートリッジを設けて、爪の破片が回転刃に残らない構造であるのと切削された爪の破片はカートリッジを外して、又は固定カートリッジの蓋を開けて捨てることができる特徴を有する電動式爪切り器である。
【発明の効果】
【０００５】  本発明の電動式爪切り器によれば簡単な構造であるのと、少ない部品点数で爪を切削するための回転刃の爪のあたる部分に段差とスリットを具備したアダプターカバーを装備することにより深爪しない電動式爪切り器の提供である。
【発明を実施するための最良の形態】
【０００６】  本発明の電動式爪切り器の一実施の形態を図１〜図４を参照して説明する。
本実施の形態において図１は電動式爪切り器の原理構造図を示している。
アダプター１０。回転刃左軸受２０。回転刃３０。回転刃右軸受４０。回転刃用プーリ５０。モータ軸受６０。モータ用プーリ７０。モータ８０。バッテリー９０。カートリッジ１００。回転刃用プーリ１１０。伝達ベルト１２０。モータ用プーリ１３０を有する。【０００７】  次に図２は電動式爪切り器の２方向方式回転刃の拡大図と側面図である。２方向方式回転刃１５０。回転刃左側面図１６０。回転刃右側面図１７０を有する。図２の２方向方式回転刃１５０は中心から左側と右側で螺旋状の回転刃の向きが異なる２方向方式であることを示している。【０００８】  次に図３は電動式爪切り器の１方向方式回転刃の拡大図と側面図である。１方向方式回転刃１８０。回転刃側面図１９０を有する。【０００９】  次に図４は電動式爪切り器の外観図であり、上面図、正面図および側面図で構成される。アダプター２００。回転刃スリット２１０。アダプター２２０。カートリッジ２３０。電源ＳＷ２４０。回転切替ＳＷ２５０。ケース２６０。アダプター２７０。カートリッジ２８０。ケース２９０を有する。
【実施例】
【００１０】  前述した本発明の実施の形態の電動式爪切り器の実施例を説明する。
図４の電源ＳＷ２４０をＯＮすることにより図１のバッテリー９０の電圧がモータ８０に供給されるとモータ８０は回転を開始する。この例ではモータ８０の回転はモータ用プーリ７０に伝達され、伝達ベルト１２０を介して回転刃用プーリ５０に伝達されることにより回転刃３０の回転によって爪を切削することができるものである。モータ回転を回転刃に伝達する手段としてギアを介して伝達できることは言うまでもない。また、図４の回転切替ＳＷ２５０を切り替えることにより双方向に回転でき、爪の切削あるいは爪の研磨ができることを具備した特徴を有する電動式爪切り器である。【００１１】  次に図２は２方向方式回転刃の構造を示しており、回転刃１５０の中心から左右方向に回転刃の向きが異なる刃を具備している。左側側面図１６０と右側側面図１７０の両方を具備することにより、爪は指先と同じ丸み形状のため切削する場合は横方向の回転刃に対して爪を縦方向に押し当てるので、丸みのある爪の両端の左側あるいは右側から切削するには回転刃の向きが異なる２つの回転刃を使い分ければ爪の端から端まできれいに切削することができるものである。【００１２】  次に図３は１方向方式回転刃の構造を示しており、前記同様に爪の切削と爪の研磨の両方をモータの回転方向を切り替えることで使用できるものである。
【産業上の利用可能性】
【００１３】  本発明の電動式爪切り器によれば、深爪しないで児童、老人、ペットなどの爪を安全に切削する、あるいは爪を研磨することが必要な分野に利用できる。
【図面の簡単な説明】
【００１４】
【図１】  本発明の電動式爪切り器の原理構造図である。
【図２】  本発明の電動式爪切り器の２方向方式回転刃の拡大側面図である。
【図３】  本発明の電動式爪切り器の１方向方式回転刃の拡大側面図である。
【図４】  本発明の電動式爪切り器の外観図である。
【符号の説明】
【００１５】１０・・・アダプター、２０・・・回転刃左軸受、３０・・・回転刃、４０・・・回転刃右軸受、５０・・・回転刃用プーリ、６０・・・モータ軸受、７０・・・モータ用プーリ、８０・・・モータ、９０・・・バッテリー、１００・・・カートリッジ、１１０・・・回転刃用プーリ、１２０・・・伝達用ベルト、１３０・・・モータ用プーリ、１５０・・・２方向方式回転刃、１６０・・・回転は左側面図、１７０・・・回転刃右側面図、１８０・・・１方向方式回転刃、１９０・・・回転刃側面図、２００・・・アダプター、２１０・・・回転刃スリット、２２０・・・アダプター、２３０・・・カートリッジ、２４０・・・電源ＳＷ、２５０・・・回転切替ＳＷ、２６０・・・ケース、２７０・・・アダプター、２８０・・・カートリッジ、２９０・・・ケース。
【図１】
2008012254.tif 000003
【図２】
2008012254.tif 000004
【図３】
2008012254.tif 000005
【図４】
2008012254.tif 000006